(57)【要約】【課題】電柱に設けた腕金に固定された柱上機器の外観を点検できる柱上機器の外観点検装置を提供する。【解決手段】外観点検装置１０は、電柱Ｐが立設する方向と略直交する水平方向に配置された腕金６に固定された開閉器５の上方に配置される。外観点検装置１０は、凸面１１ａと凹面１１ｂが鏡面で形成された樋状の湾曲部材１１と、凸面１１ａが開閉器５の上面に対向するように、湾曲部材１１を腕金６に支持する支持部材１２と、を備える。湾曲部材１１は、凸面１１ａに映る前記柱上機器の上面の鏡像が下方から確認できるように曲率が規定されているので、凸面１１ａに映る開閉器５の上面の鏡像を電柱Ｐに登って下方から確認できる。又、凹面１１ｂが光を反射して、鳥類を忌避させるので、開閉器５に鳥類が接近することを抑制できる。【選択図】図１
2013165606.tif 000002
【特許請求の範囲】
【請求項１】
電柱が立設する方向と略直交する水平方向に配置された腕金に固定された柱上機器の上方に配置される柱上機器の外観点検装置であって、
両面が鏡面で形成された樋状の湾曲部材と、
この湾曲部材の凸面が前記柱上機器の上面に対向するように、当該湾曲部材を前記腕金に支持する支持部材と、を備え、
前記湾曲部材は、前記凸面に映る前記柱上機器の上面の鏡像が下方から確認できるように曲率が規定されている柱上機器の外観点検装置。
【請求項２】
前記湾曲部材は、その凹面の底部に溜まる雨水が一方の方向に流れるように、前記電柱に向かって下り傾斜している請求項１記載の柱上機器の外観点検装置。
【請求項３】
前記支持部材は、
前記湾曲部材の凸面を上部に固定し、前記腕金を跨ぐように開口側が配置されたＣ形チャンネル部材と、
前記Ｃ形チャンネル部材が前記腕金から離間しないように、前記Ｃ形チャンネル部材を締結する複数のボルト部材と、を有する請求項１又は２記載の柱上機器の外観点検装置。
【請求項４】
前記柱上機器は、前記腕金に懸架される開閉器からなる請求項１から３のいずれかに記載の柱上機器の外観点検装置。
【発明の詳細な説明】
【技術分野】
【０００１】
本発明は、柱上機器の外観点検装置に関する。特に、電柱に設けた腕金に固定された開閉器などの柱上機器の外観を点検できると共に、柱上機器に鳥類が接近することを抑制する装置の構造に関する。
【背景技術】
【０００２】
一般に、電柱は、角柱状の腕金を水平方向に配置している。そして、この腕金に支持されて、電線及びケーブルを地上に架設している。又、この腕金に固定されることにより、開閉器や変圧器（トランス）などの柱上機器も電柱に支持されている。
【０００３】
開閉器などの柱上機器を長期間、設置しておくと、風雨にさらされるので、外壁に錆が発生することがある。この場合、柱上機器の上面は、錆の発生状況などの外観を電柱に昇って、柱上機器の下方から点検（確認）することが困難であった。このため、長尺の絶縁操作棒（いわゆる、ホットスティック）の先端部に鏡を取り付け、この鏡を柱上機器の上面に近づけ、鏡に映る像（鏡像）から柱上機器の上面を柱上機器の下方から点検していた。
【０００４】
又、鳩などの鳥類が飛来してきて、開閉器などの柱上機器の上面に糞を落とすことがある。この場合、鳥類が出す糞は、錆の発生の要因になると共に、衛生上好ましくなく、更には、掃除が大変であるので、柱上機器に鳥類が接近することを抑制する対策が求められていた。
【０００５】
上述したような鳥害を防止するため、鳥類が営巣又は休止する恐れのある電柱の腕金などの箇所にプラスチック製の反射材を取り付け、電柱などの鳥害防止方法が開示されている（例えば、特許文献１参照）。
【０００６】
特許文献１による電柱などの鳥害防止方法は、鏡などの反射材による反射日光が鳥類を忌避させるので、電柱などの配電設備に鳥類が営巣又は休止することを抑制できる、としている。この結果、停電事故の防止又は鳥糞による汚染防止に寄与できるとしている。
【先行技術文献】
【特許文献】
【０００７】
【特許文献１】特開平５−２６８８６３号公報
【発明の概要】
【発明が解決しようとする課題】
【０００８】
上述した、先端部に鏡を設けた絶縁操作棒を用いて、柱上機器の上面を点検する方法は、鏡が電線に接触する心配があるので、好ましくない。又、この絶縁操作棒を操作して、柱上機器の上面を全て点検することは、困難なことが多い。先端部に鏡を設けた絶縁操作棒を用いることなく、柱上機器の上面を確実に点検する装置が求められている。
【０００９】
特許文献１による電柱などの鳥害防止方法は、鳥類を忌避させることはできるが、柱上機器の上面を点検することは困難である。柱上機器の上面を点検できると共に、鳥類を忌避させる装置が求められている。
【００１０】
本発明は、このような課題に鑑みてなされたものであり、電柱に設けた腕金に固定された柱上機器の外観を点検できると共に、柱上機器に鳥類が接近することを抑制する柱上機器の外観点検装置を提供することを目的とする。
【課題を解決するための手段】
【００１１】
本発明者らは、両面が鏡面で形成された樋状の湾曲部材をその凸面が柱上機器の上面に対向するように、腕金を介して、柱上機器の上方に湾曲部材を固定することにより、これの課題が解決可能なことを見出し、これに基づいて、以下のような新たな柱上機器の外観点検装置を発明するに至った。
【００１２】
（１）本発明による柱上機器の外観点検装置は、電柱が立設する方向と略直交する水平方向に配置された腕金に固定された柱上機器の上方に配置される柱上機器の外観点検装置であって、両面が鏡面で形成された樋状の湾曲部材と、この湾曲部材の凸面が前記柱上機器の上面に対向するように、当該湾曲部材を前記腕金に支持する支持部材と、を備え、前記湾曲部材は、前記凸面に映る前記柱上機器の上面の鏡像が下方から確認できるように曲率が規定されている。
【００１３】
（２）前記湾曲部材は、その凹面の底部に溜まる雨水が一方の方向に流れるように、前記電柱に向かって下り傾斜していることが好ましい。
【００１４】
（３）前記支持部材は、前記湾曲部材の凸面を上部に固定し、前記腕金を跨ぐように開口側が配置されたＣ形チャンネル部材と、前記Ｃ形チャンネル部材が前記腕金から離間しないように、前記Ｃ形チャンネル部材を締結する複数のボルト部材と、を有することが好ましい。
【００１５】
（４）前記柱上機器は、前記腕金に懸架される開閉器からなることが好ましい。
【発明の効果】
【００１６】
本発明による柱上機器の外観点検装置は、両面が鏡面で形成された樋状の湾曲部材をその凸面が柱上機器の上面に対向するように、腕金を介して、柱上機器の上方に湾曲部材を固定しているので、湾曲部材の凸面に映る柱上機器の上面の鏡像を下方から確認できる。
【００１７】
又、本発明による柱上機器の外観点検装置は、両面が鏡面で形成された樋状の湾曲部材を柱上機器の上方に配置しているので、湾曲部材の凹面が光を反射して、鳥類を忌避させるので、柱上機器に鳥類が接近することを抑制できる。
【図面の簡単な説明】
【００１８】
【図１】本発明の一実施形態による柱上機器の外観点検装置の構成を示す斜視図である。
【図２】前記実施形態による柱上機器の外観点検装置の構成を示す正面図である。
【図３】前記実施形態による柱上機器の外観点検装置の構成を示す左側面図である。
【発明を実施するための形態】
【００１９】
以下、図面を参照して本発明を実施するための形態を説明する。なお、以下の実施形態では、本発明による柱上機器の外観点検装置は、開閉器を一実施例に挙げて説明する。
【００２０】
［柱上機器の外観点検装置の構成］
最初に、本発明の一実施形態による柱上機器の外観点検装置の構成を説明する。図１は、本発明の一実施形態による柱上機器の外観点検装置の構成を示す斜視図である。図２は、前記実施形態による柱上機器の外観点検装置の構成を示す正面図である。図３は、前記実施形態による柱上機器の外観点検装置の構成を示す左側面図である。
【００２１】
図１から図３を参照すると、本発明の一実施形態による柱上機器の外観点検装置（以下、外観点検装置と略称する）１０は、角柱状の腕金６に固定されている。腕金６は、その中央部が例えばＵボルト（図示せず）で電柱Ｐに支持されている。又、腕金６は、その両端部を電柱Ｐが立設する方向と略直交する水平方向に配置している。
【００２２】
図２又は図３を参照すると、腕金６は、一対の支持金具６ｔ・６ｔを用いて、腕金６の片翼に開閉器５を懸架している。開閉器５は、開閉スイッチ（図示せず）を作動させるための回動軸（図示せず）を内部に備えている。前記回動軸は、一方の端部に操作ハンドル５ａを取り付け、他方の端部に指針５ｂを取り付けている。そして、操作ハンドル５ａに繋留された操作綱５ｃを操作して、指針５ｂが「入」の状態になるように、前記回動軸を回動させれば、内部の開閉スイッチを接続して、開閉器５に跨る電線９ｗを電気的に接続できる。又、操作綱５ｃを操作して、指針５ｂが「切」の状態になるように、前記回動軸を回動させれば、内部の開閉スイッチを切断して、開閉器５に跨る電線９ｗを電気的に断絶できる。
【００２３】
図２又は図３を参照すると、外観点検装置１０は、開閉器５に対向するように、開閉器５の上方に配置されている。図１から図３を参照すると、外観点検装置１０は、樋状の湾曲部材１１と支持部材１２を備えている。湾曲部材１１は、その凸面１１ａと凹面１１ｂが鏡面で形成されている。支持部材１２は、湾曲部材１１の凸面１１ａが開閉器５の上面に対向するように、湾曲部材１１を腕金６に支持している。そして、図１又は図３を参照すると、湾曲部材１１は、その延びる方向（Ｘ方向）が腕金６の延びる方向と略一致するように配置されている。
【００２４】
図１又は図２を参照すると、支持部材１２は、Ｃ形チャンネル部材１２ａと複数のボルト部材１２ｃを備えている。Ｃ形チャンネル部材１２ａは、箱状の取り付け部材１２ｂを介して、湾曲部材１１の凸面１１ａを上部に固定している。又、Ｃ形チャンネル部材１２ａは、腕金６を跨ぐように開口側が配置されている。ボルト部材１２ｃは、腕金６の下方を通過するように、Ｃ形チャンネル部材１２ａに締結されている。そして、複数のボルト部材１２ｃは、Ｃ形チャンネル部材１２ａが腕金６から離間しないように支持できる。
【００２５】
図３を参照すると、湾曲部材１１は、その延びる方向（Ｘ方向）が電柱Ｐに向かって下り傾斜している。これにより、湾曲部材１１の凹面１１ｂ（図１又は図２参照）の底部に溜まる雨水を電柱Ｐに向かって流すことができる。
【００２６】
図１を参照して、湾曲部材１１は、アクリル樹脂などの合成樹脂板の両面に、アルミニウムなどの金属微粒子からなる薄膜を蒸着、又はスパッタリングなどの手段を用いて形成することが軽量化できて、好ましい。更に、薄膜付着面を透明なプラスチック板、又はシートで被覆することにより、薄膜付着面の耐食性及び耐候性を向上できる。
【００２７】
図１を参照して、Ｃ形チャンネル部材１２ａ及び取り付け部材１２ｂは、硬質の合成樹脂を成形することが軽量化でき、耐食性及び耐候性を向上できるので好ましい。Ｃ形チャンネル部材１２ａ及び取り付け部材１２ｂは、アルミニウムなどの軽量金属を用いてもよく、湾曲部材１１をねじ止めで固定してもよい。
【００２８】
［柱上機器の外観点検装置の作用］
次に、実施形態による外観点検装置１０の作用及び効果を説明する。図１から図３を参照すると、外観点検装置１０は、両面が鏡面で形成された樋状の湾曲部材１１の凸面１１ａが開閉器５の上面に対向するように、腕金６を介して、開閉器５の上方に湾曲部材１１を固定している。そして、湾曲部材１１は、凸面１１ａに映る開閉器５の上面の鏡像が下方から確認できるように曲率が規定されているので、湾曲部材１１の凸面１１ａに映る開閉器５の上面の鏡像を電柱Ｐに登って下方から確認できる。
【００２９】
又、図１から図３を参照すると、外観点検装置１０は、両面が鏡面で形成された樋状の湾曲部材１１を開閉器５の上方に配置しているので、湾曲部材１１の凹面１１ｂが光を反射して、鳥類を忌避させるので、開閉器５に鳥類が接近することを抑制できる。
【００３０】
更に、図３を参照すると、湾曲部材１１は、電柱Ｐに向かって下り傾斜しているので、雨水を滞留することなく、排出できる。又は、湾曲部材１１から流下する雨水が歩行者などに落下し難くできる。又、外観点検装置１０は、湾曲部材１１が開閉器５の上面を覆っているので（図２参照）、雨水などに起因する開閉器５の腐食を抑制できる。
【００３１】
このように、実施形態による外観点検装置１０は、以下の効果が期待できる。
（１）電線に接近することを回避でき、開閉器などの柱上機器の上面を容易に点検できる。
（２）先端部に鏡を設けた絶縁操作棒を操作する必要が無くなり、比較的楽な姿勢で開閉器などの柱上機器の上面を点検できる。鏡が電線に接触する心配が無くなる。
（３）先端部に鏡を設けた絶縁操作棒を操作する必要が無くなり、鏡が電線に接触する心配が無くなる。
（４）鳥類が柱上機器の上面に営巣することを抑制できる。
【００３２】
本発明の実施形態による外観点検装置１０は、腕金に懸架された開閉器の上面を点検することに限定されない。実施形態による外観点検装置１０は、腕金に懸架された変圧器の上方に配置してもよく、変圧器の上面を容易に点検できる。
【符号の説明】
【００３３】
５  開閉器（柱上機器）
６  腕金
１０  外観点検装置（柱上機器の外観点検装置）
１１  湾曲部材
１１ａ  凸面
１１ｂ  凹面
１２  支持部材
Ｐ  電柱
【図１】
2013165606.tif 000003
【図２】
2013165606.tif 000004
【図３】
2013165606.tif 000005